(57)【要約】      （修正有）【課題】  目地部や、出隅部、入隅部の継ぎ目に簡単に取付けることができるとともに、取付け位置の調整や取り外しも容易なサイディング用役物を提供する。【解決手段】  サイディングの施工において用いられる役物であって、建物の下地側に取付けられる取付けベース１１と、該サイディングの表面側に装着されるカバー材１２と、このカバー材１２の両端部に、その長手方向に延設されるシール材１３とからなり、該取付けベース１１は所定形状の合成樹脂から形成されるとともに、その略中央部にマグネット１４を内設した係止リブ１１１が上記取付けベース１１の長手方向に係合凹部１１２を形成するように相対向して立設され、該カバー材１２は上記取付けベース１１と対応する所定形状の金属磁性体からなるとともに、その略中央部に上記係合凹部１１２に挿入される脚部１２１が長手方向に立設される。【選択図】  図１
2005023721.tif 000002
【特許請求の範囲】
【請求項１】
サイディングの施工において用いられる役物であって、建物の下地側に取付けられる取付けベースと、該サイディングの表面側に装着されるカバー材と、このカバー材の両端部に、その長手方向に延設されるシール材とからなり、該取付けベースは所定形状の合成樹脂から形成されるとともに、その略中央部にマグネットを内設した係止リブが上記取付けベースの長手方向に係合凹部を形成するように相対向して立設され、該カバー材は上記取付けベースと対応する所定形状の金属磁性体からなるとともに、その略中央部に上記係合凹部に挿入される脚部が長手方向に立設されたサイディング用役物。
【請求項２】
上記取付けベースが平面目地部に対応する形状を有するとともに、その略中央部にマグネットを内設した係止リブが長手方向に係合凹部を形成するように相対向して立設されるとともに、上記カバー材も上記取付けベースに対応する形状を有するとともに、その中央部に上記係合凹部に挿入される脚部が長手方向に立設された請求項１に記載のサイディング用役物。
【請求項３】
上記取付けベースがサイディングの出隅部に対応する形状を有するとともに、マグネットを内設した係止リブが、長手方向に係合凹部が形成されるよう、上記取付けベースの中央角部を中心に相対向して立設されるとともに、上記カバー材も上記取付けベースに対応する形状を有するとともに、カバー材の内面入隅部に、上記係合凹部に挿入される脚部が長手方向に立設された請求項１に記載のサイディング用役物。
【請求項４】
上記取付けベースがサイディングの入隅部に対応する形状を有するとともに、マグネットを内設した係止リブが、長手方向に係合凹部が形成されるよう、上記取付けベースの入隅部を中心に相対向して立設されるとともに、上記カバー材も上記取付けベースに対応する形状を有するとともに、カバー材の中央角部に上記係合凹部に挿入される脚部が長手方向に立設された請求項１に記載のサイディング用役物。
【請求項５】
上記マグネットが複数の小マグネットからなるとともに、スライド可能に係止リブに内設された請求項１に記載のサイディング用役物。
【発明の詳細な説明】
【技術分野】
【０００１】
本発明は、サイディング用役物に関する。さらに詳しくは、住宅等の建築物の下地材の上に外装材として施工されるサイディングにおける平面目地部、出隅部または入隅部等に用いられるサイディング用役物に関する。
【背景技術】
【０００２】
従来から、上記サイディングとしては、金属サイディングやセメント系外装材等が知られている。例えば、亜鉛めっき鋼板やステンレス板等の金属板の裏面にロックウール等の断熱材を装着した金属サイディングを施工する場合、突合せの平面目地部や、出隅部、入隅部の継ぎ目には役物が取り付けられている。この役物は、雨水の浸入防止や強度保持のため、あるいは意匠性の向上等を目的として用いられ、上記役物の構造について種々の技術が提案されている（例えば、特許文献１、２参照。）。
【特許文献１】特開２０００−２８２６７３号公報（第１−４頁、第１図、第６図）
【特許文献２】実開２００１−２１４５９７号公報（第１−４頁、第１〜２図）
【発明の開示】
【発明が解決しようとする課題】
【０００３】
図６は、上記先行技術に記載されたサイディングの平面目地部に施工される役物の一例を示す平面図である。本願図６からよくわかるように、上記役物６は、下地材に固定され、通常、合成樹脂からなる取付部材６１と、両端にシール材６３をその長さ方向に延設したカバー部材６２とから構成され、サイディングは、上記取付部材６１とカバー部材６２とによって挟持するように取付けられる。さらに、上記取付部材６１の略中央部には、その長さ方向に沿って、相対向する平面視鋸歯状の係止リブ６１１、６１１が係合凹部６１２を形成するように立設され、また、上記カバー部材６２の略中央部には、外側に係止突起６２２を有する一対の係止片からなる被係止部６２１が立設されている。この被係止部６２１を上記係合凹部６１２に嵌着することにより、カバー部材６２を取付部材６１に一体的に取付け、目地部の施工が行なわれる。
【０００４】
このとき、長尺の被係止部６２１を上記係合凹部６１２に押し込んで、上記係止突起６２２と係止リブ６１１、６１１とを係合させなければならず、取付けの作業性が悪く、また、一旦嵌着した被係止部６２１を取付部材６１から取外すことが困難であるという問題がある。本発明は、このような問題点を解決するためになされたものであって、サイディングの目地部や、出隅部、入隅部の継ぎ目に簡単に施工することができるとともに、取り外しも容易なサイディング用役物を提供することを、その課題とする。
【課題を解決するための手段】
【０００５】
上記課題を解決するため、本発明においてはつぎのような技術的手段を講じている。すなわち、本発明は、サイディングの施工において用いられる役物であって、建物の下地側に取付けられる取付けベースと、該サイディングの表面側に装着されるカバー材と、このカバー材の両端部に、その長手方向に延設されるシール材とからなり、該取付けベースは所定形状の合成樹脂から形成されるとともに、その略中央部にマグネットを内設した係止リブが上記取付けベースの長手方向に係合凹部を形成するように相対向して立設され、該カバー材は上記取付けベースと対応する所定形状の金属磁性体からなるとともに、その略中央部に上記係合凹部に挿入される脚部が長手方向に立設されたサイディング用役物である。
【０００６】
また、上記取付けベースが平面目地部に対応する形状を有するとともに、その略中央部にマグネットを内設した係止リブが長手方向に係合凹部を形成するように相対向して立設されるとともに、上記カバー材も上記取付けベースに対応する形状を有するとともに、その中央部に上記係合凹部に挿入される脚部が長手方向に立設された請求項１に記載のサイディング用役物である。
【０００７】
さらに、上記取付けベースがサイディングの出隅部に対応する形状を有するとともに、マグネットを内設した係止リブが、長手方向に係合凹部が形成されるよう、上記取付けベースの中央角部を中心に相対向して立設されるとともに、上記カバー材も上記取付けベースに対応する形状を有するとともに、カバー材の内面入隅部に、上記係合凹部に挿入される脚部が長手方向に立設された請求項１に記載のサイディング用役物である。
【０００８】
さらにまた、上記取付けベースがサイディングの入隅部に対応する形状を有するとともに、マグネットを内設した係止リブが、長手方向に係合凹部が形成されるよう、上記取付けベースの入隅部を中心に相対向して立設されるとともに、上記カバー材も上記取付けベースに対応する形状を有するとともに、カバー材の中央角部に上記係合凹部に挿入される脚部が長手方向に立設された請求項１に記載のサイディング用役物である。
【０００９】
また、上記マグネットが複数の小マグネットからなるとともに、スライド可能に係止リブに内設された請求項１に記載のサイディング用役物である。
【発明の効果】
【００１０】
本発明のサイディング用役物は、サイディングの施工において、カバー材を取付けベースに対して強い力で押し込む必要はなく、サイディングの平面目地部や、出隅部、入隅部の継ぎ目に簡単に、作業性よく取付けることができるとともに、カバー材にマグネットの磁力に打ち勝つだけの力を加えれば、サイディングの取付け位置の調整や、取り外しを容易に行なえるという効果が得られる。更に、マグネットを複数の小マグネットで構成し、これら小マグネットをスライド可能に係止リブに内設したときは、該サイディング用役物を任意の長さに容易に切断できるサイディング用役物となるのである。
【発明を実施するための最良の形態】
【００１１】
以下、図面を参照して詳細に説明する。図１は、隣り合うサイディングの平面目地部に取付けられる本発明の第１の実施形態にかかるサイディング用役物１を示す平面図である。図１において、サイディング用役物１は、建物の下地側に取付けられ、その略中央部に相対向する係止リブ１１１を立設した取付けベース１１と、カバー材１２とから構成され、このカバー材１２は、サイディングの表面側に装着されるとともに、その裏面の略中央部に脚部１２１を垂設している。図１からよくわかるように、上記取付けベース１１に立設された係止リブ１１１には、マグネット１４が内設されるとともに、相対向する係止リブ１１１が、取付けベース１１の長手方向に係合凹部１１２を形成し、上記脚部１２１がこの係合凹部１１２に挿入される。
【００１２】
カバー材１２は、正面視略短冊状であって、化粧部としても機能し、カバー材１２の裏面側の両端部に延設されたシール材１３は、軟質発泡ウレタンフォーム等の弾性材料から構成され、サイディング用役物１が施工された後、雨水等の浸入を防ぐ。また、係止リブ１１１を立設した取付けベース１１は合成樹脂から一体成形され、カバー材１２は脚部１２１とともに、鋼板等の金属磁性体で一体的に構成される。
【００１３】
サイディングの平面目地部に施工する際は、取付けベース１１と、カバー材１２とによってサイディングを挟持するように取付け、上記脚部１２１を係合凹部１１２に挿入する。脚部１２１は、鋼板等、金属磁性体で構成されているため、挿入後、相対向する係止リブ１１１に内設されたマグネット１４によってしっかりと磁性係止される。このように、カバー材１２は、その脚部１２１を取付けベース１１の係合凹部１１２に挿入するのみで係止することができる。また、サイディングを取り外したり、取付け位置を調整するときは、マグネット１４の磁力に打ち勝つだけの力をカバー材１２に加えれば十分であり、このように、本発明のサイディング用役物は、サイディングの平面目地部に簡単に施工することができるとともに、容易に位置の調整や、取り外しを行なうことができる。
【００１４】
図２は、金属サイディング４の隣り合う平面目地部に、上記サイディング用役物１を施工した状態を示す平面図である。目地部がカバー材１２により目隠しされるとともに、シール材１３によってしっかりとシールされていることが明らかである。なお、マグネット１４は、連続体のみならず、複数の小マグネット１４１をスライド可能に相対向する係止リブ１１１に内設することも可能である。図３に示すように、小マグネット１４１を一定間隔で配置し、現場の状況に応じて切断することによって、作業性よく役物１を施工することができる。このとき、切断部位に小マグネット１４１が位置して切断できない場合はスライドさせ、新たに適当な間隔で再配置すればよい。
【００１５】
図４は、サイディングの出隅部に取付けられる本発明の第２の実施形態にかかるサイディング用役物２を示す平面図である。図４において、サイディング用役物２は、取付けベース２１が出隅部に対応する形状を有するとともに、マグネット２４を内設した相対向する係止リブ２１１が取付けベース２１の中央角部を中心にして立設され、これにより係合凹部２１２が形成されている。一方、カバー材２２は、その裏面側の両端部にシール材２３を延設するとともに、その中央入隅部に相対向する脚部２２１が設けられ、上記脚部２２１は係合凹部２１２に挿入される。脚部２２１は、上記と同様に、鋼板等、金属磁性体で構成されているため、相対向する係止リブ２１１に内設されたマグネット２４によってしっかりと磁性係止される。このように、出隅カバー材２２は、その脚部２２１を上記係合凹部２１２に挿入するのみでしっかりと係止されるとともに、出隅を見栄えよくカバーすることができる。
【００１６】
図５は、サイディングの入隅部に取付けられる本発明の第３の実施形態にかかるサイディング用役物３を示す平面図である。図５において、サイディング用役物３は、取付けベース３１が入隅部に対応する形状を有するとともに、マグネット３４を内設した相対向する係止リブ３１１が取付けベース３１の中央入隅部を中心に立設され、これにより係合凹部３１２が形成されている。一方、カバー材３２は、その裏面側の両端部にシール材３３を延設するとともに、中央角部を中心に相対向する脚部３２１が設けられ、上記脚部３２１は係合凹部３１２に挿入される。脚部３２１は、上記と同様に、鋼板等、金属磁性体で構成されているため、相対向する係止リブ３１１に内設されたマグネット３４によってしっかりと磁性係止される。このように、入隅カバー材３２は、その脚部３２１を上記係合凹部３１２に挿入するのみでしっかりと係止されるとともに、入隅を見栄えよくカバーすることができる。
【００１７】
第２実施形態、第３実施形態ともに、第１実施形態と同様に、カバー材２２、３２の裏面側の両端部に延設されたシール材２３、３３は、軟質発泡ウレタンフォーム等の弾性材料から構成され、サイディング用役物２、３が施工された後、雨水等の浸入を防ぐ。また、係止リブ２１１、３１１が立設された取付けベース２１、３１は、合成樹脂の一体成形品であり、カバー材２２、３２も脚部２２１、３２１とともに鋼板等の金属磁性体で一体的に構成される。また、第２実施形態、第３実施形態ともに、マグネット２４、３４は、連続体のみならず、複数の小マグネット１４１をスライド可能に相対向する係止リブ２１１、３１１に内設することも可能である。また、取付け位置を調整したり、取り外すときは、マグネットの磁力に打ち勝つだけの力を加えれば十分であり、サイディングの出隅部、入隅部に簡単に取付けることができるとともに、容易に位置の調整や取り外しを行なうことができる。
【図面の簡単な説明】
【００１８】
【図１】本発明の第１実施形態にかかるサイディング用役物を示す平面図である。
【図２】上記サイディング用役物を施工した状態を示す平面図である。
【図３】複数の小マグネットをスライド可能に係止リブに内設した状態を示す斜視図である。
【図４】本発明の第２実施形態にかかるサイディング用役物を示す平面図である。
【図５】本発明の第３実施形態にかかるサイディング用役物を示す平面図である。
【図６】従来のサイディング用役物を示す平面図である。
【符号の説明】
【００１９】
１      第１実施形態にかかるサイディング用役物
１１    上記における取付けベース
１１１  上記における係止リブ
１１２  上記における係合凹部
１２    上記におけるカバー材
１２１  上記における脚部
１３    上記におけるシール材
１４    上記におけるマグネット
１４１  上記における小マグネット
２      第２実施形態にかかるサイディング用役物
２１    上記における取付けベース
２１１  上記における係止リブ
２１２  上記における係合凹部
２２    上記におけるカバー材
２２１  上記における脚部
２３    上記におけるシール材
２４    上記におけるマグネット
３      第３実施形態にかかるサイディング用役物
３１    上記における取付けベース
３１１  上記における係止リブ
３１２  上記における係合凹部
３２    上記におけるカバー材
３２１  上記における脚部
３３    上記におけるシール材
３４    上記におけるマグネット
４      金属サイディング
６      公知のサイディング用役物
６１    上記における取付部材
６１１  上記における係止リブ
６１２  上記における係合凹部
６２    上記におけるカバー部材
６２１  上記における被係止部
６２２  上記における係止突起
６３    シール材
【図１】
2005023721.tif 000003
【図２】
2005023721.tif 000004
【図３】
2005023721.tif 000005
【図４】
2005023721.tif 000006
【図５】
2005023721.tif 000007
【図６】
2005023721.tif 000008